(57)【要約】      （修正有）【課題】一つの足場ユニットをクレーンでつり上げて行う大払しによる解体作業時に、建物の外壁を傷付けないようにするための足場の外壁損傷防止治具を提供する。【解決手段】建物の外壁に沿って設置される外部足場を、複数の建枠を有する一つの足場ユニットにブロック化して分離し、足場ユニットをクレーンでつり上げて行う大払しによる解体作業の際に使用し、足場ユニットの建物の外壁に面した建枠に、間隔を離して複数取り付ける足場の外壁損傷防止治具１１であって、外壁損傷防止治具１１は、建枠に取り付ける取付部１５と取付部１５の先端から延出する腕部１３とからなるＬ字状のブラケット部材１２と、腕部１３の先端に設けられて球状弾性体２４を回転自在に保持する球体保持部材１４とからなり、取付部１５の上部には、クランプ１８が設けられ、下部には、二股状受け部１７が形成されている。【選択図】図１
2014122468.tif 000002
【特許請求の範囲】
【請求項１】
建物の外壁に沿って設置される外部足場を、複数の建枠を有する一つの足場ユニットにブロック化して分離し、該足場ユニットをクレーンでつり上げて行う大払しによる解体作業の際に使用し、前記足場ユニットの前記外壁に面した前記建枠に、間隔を離して複数取り付ける足場の外壁損傷防止治具であって、
該外壁損傷防止治具は、前記建枠に取り付ける取付部と該取付部の先端から延出する腕部とからなるＬ字状のブラケット部材と、前記腕部の先端に設けられて球状弾性体を回転自在に保持する球体保持部材とからなり、
前記取付部の上部には、前記建枠に固着するためのクランプが設けられ、前記取付部の下部には、二股状に分岐して前記建枠を保持する受け部が形成されていること
を特徴とする足場の外壁損傷防止治具。
【請求項２】
球体保持部材は、前記腕部の先端に取り付ける台座と、該台座に対して回動自在で二股状の保持片を備える保持部と、前記保持片同士に渡って設けられる軸部と、該軸部が貫通して回転自在に取り付けられる球状弾性体と、からなること
を特徴とする請求項１に記載の足場の外壁損傷防止治具。
【請求項３】
腕部は、伸縮可能であること
を特徴とする請求項１に記載の足場の外壁損傷防止治具。
【発明の詳細な説明】
【技術分野】
【０００１】
本発明は、足場の外壁損傷防止治具に関するものであり、更に詳しくは、足場をブロック化して分離し、一つの足場ユニットをクレーンでつり上げて行う大払しによる解体作業の際に、建物の外壁を傷付けないようにするための足場の外壁損傷防止治具に関するものである。
【背景技術】
【０００２】
敷地の境界近傍に沿った建物に設置される外部足場を解体する際には、クレーン設置場所や資材置き場等の必要なスペースが確保できないことが多い。この場合、建物の外側から足場を解体するときには、道路占有の届出が必要であるなど、作業工程等の点で様々な制約とコストアップが生じることとなる。
【０００３】
そこで、外部足場をブロック化して分離し、複数列／複数段の建枠を有する一つの足場ユニットを、建物のクレーンを設置している側から当該クレーンでつり上げて行う大払しによる解体作業が選択される。
【０００４】
なお、実開平６−１６１０号公報には、大払しによる足場の解体作業に用いられる建枠引抜き用治具の考案が開示されている（特許文献１参照）。
【先行技術文献】
【特許文献】
【０００５】
【特許文献１】実開平６−１６１０号公報
【発明の概要】
【発明が解決しようとする課題】
【０００６】
この従来例の大払しによる解体作業においては、足場ユニットをクレーンでつり上げたときに、強風などの影響で足場が建物の外壁に接触して傷を付けてしまうおそれがあるという問題点を有している。
【０００７】
特に、敷地の境界近傍に沿った建物に設置される外部足場であれば、足場ユニットを建物から充分に離隔して揚重することができないので、いっそう慎重な作業が求められることとなる。
【０００８】
従って、従来例における大払しによる解体作業においては、足場ユニットをクレーンでつり上げたときに、足場が建物の外壁に接触しても傷が付かないようにすることに解決しなければならない課題を有している。
【課題を解決するための手段】
【０００９】
前記従来例の課題を解決するための本発明の要旨は、建物の外壁に沿って設置される外部足場を、複数の建枠を有する一つの足場ユニットにブロック化して分離し、該足場ユニットをクレーンでつり上げて行う大払しによる解体作業の際に使用し、前記足場ユニットの前記外壁に面した前記建枠に、間隔を離して複数取り付ける足場の外壁損傷防止治具であって、該外壁損傷防止治具は、前記建枠に取り付ける取付部と該取付部の先端から延出する腕部とからなるＬ字状のブラケット部材と、前記腕部の先端に設けられて球状弾性体を回転自在に保持する球体保持部材とからなり、前記取付部の上部には、前記建枠に固着するためのクランプが設けられ、前記取付部の下部には、二股状に分岐して前記建枠を保持する受け部が形成されていることである。
【００１０】
また、前記球体保持部材は、前記腕部の先端に取り付ける台座と、該台座に対して回動自在で二股状の保持片を備える保持部と、前記保持片同士に渡って設けられる軸部と、該軸部が貫通して回転自在に取り付けられる球状弾性体と、からなること、；
前記腕部は、伸縮可能であること、；
を含むものである。
【発明の効果】
【００１１】
本発明に係る足場の外壁損傷防止治具によれば、大払しによる解体作業において足場ユニットをクレーンでつり上げたときに、強風などの影響で足場が建物の外壁に接触しても、球状弾性体が緩衝材の役割を果たすので、建物の外壁に傷が付かないという優れた効果を奏する。
【００１２】
球体保持部材は、前記腕部の先端に取り付ける台座と、該台座に対して回動自在で二股状の保持片を備える保持部と、前記保持片同士に渡って設けられる軸部と、該軸部が貫通して回転自在に取り付けられる球状弾性体とからなることによって、球状弾性体が外壁に接触したまま吊り上げたときや、足場ユニットが横風にあおられたときであっても、当該球状弾性体と台座とがその動きにスムーズに追従して回転するので、外壁を傷付けたり汚したりしないという優れた効果を奏する。
【００１３】
腕部は、伸縮可能であることによって、足場ユニットと建物の外壁との間隔を考慮して腕部を最適な長さに調整することができるという優れた効果を奏する。
【図面の簡単な説明】
【００１４】
【図１】本発明に係る足場の外壁損傷防止治具１１の斜視図である。
【図２】ブラケット部材１２と球体保持部材１４とを分離して示した斜視図である。
【図３】外壁損傷防止治具１１の取付状態を示す斜視図である。
【図４】大払しによる解体作業を説明する足場ユニット２９の斜視図である。
【発明を実施するための形態】
【００１５】
次に、本発明の実施の形態について図面を参照しながら説明する。まず、図１及び図２において、符号１１は足場の外壁損傷防止治具を示し、この外壁損傷防止治具１１は、Ｌ字状のブラケット部材１２と、ブラケット部材１２の腕部１３の先端に設けられる球体保持部材１４とから構成される。
【００１６】
ブラケット部材１２は、建枠２８ａに取り付けるパイプ状の取付部１５と、この取付部１５の先端から直交方向に延出するパイプ状の腕部１３とからなる。
【００１７】
取付部１５は、建枠２８ａに沿わして取り付ける部位であって、取付部１５の下部には、腕部１３の延出方向と逆方向に設けられて二股状に分岐して建枠２８ａを保持する役目の受け部１７が形成されている。取付部１５の上部には、建枠２８ａに固着するためのクランプ１８が取り付けられている。また、取付部１５の途中には、腕部１３に延設される補強用の補強パイプ１９が斜めに設けられている。
【００１８】
腕部１３は、太径パイプ１３ａの中に短径パイプ１３ｂが摺動可能に挿入されており、その結果、腕部１３は伸縮自在に形成される。また、腕部１３の途中には、伸縮させた短径パイプ１３ｂの位置を固定するための固定ネジ２０が設けられている。このような構成の腕部１３は、足場ユニット２９と建物の外壁３０との間隔を考慮して当該腕部１３を最適な長さに調整することが可能である。
【００１９】
球体保持部材１４は、腕部１３の先端に取り付ける台座２１と、台座２１に対して回動自在で二股状の保持片２２ａ、２２ａを備える保持部２２と、保持片２２ａ、２２ａ同士に渡って設けられる軸部２３と、軸部２３が貫通して回転自在に取り付けられる球状弾性体２４とからなる。
【００２０】
台座２１は、後部に取付用ボルト２５が形成されており、この取付用ボルト２５を、腕部１３の先端に形成された図示しないボルト孔に螺着して、台座２１を腕部１３に取り付ける。
【００２１】
保持部２２は、図示しないベアリング機構によって、台座２１に対してスムーズに回動することができる仕組みになっている。
【００２２】
軸部２３は、内側の貫通ボルト（全ネジ棒）２３ａとその外側に配設された鋼製の実管２３ｂとから構成されており、その結果、球状弾性体２４の円滑な回転を確保している。そして、軸部２３が両方の保持片２２ａに渡って挿通状態に設けられており、軸部２３の両端にボルト２６が螺着されている。
【００２３】
球状弾性体２４は、適度な弾性を有するゴムボールであって、具体的にはソフトボールの１号球（直径約８５mm）程度が望ましい。また、球状弾性体２４の軸部２３が貫通する軸孔部分には、実管２３ｂから延設されるハトメ２７が設けられている。
【００２４】
このような構造の球体保持部材１４は、例えば平台車の車輪を加工して、当該球体保持部材１４に改良することが可能である。
【００２５】
以上のように構成される足場の外壁損傷防止治具１１は、建物の外壁３０に沿って設置される外部足場を、図４に示すように、複数の建枠２８を有する一つの足場ユニット２９にブロック化して分離し、当該足場ユニット２９をクレーンでつり上げて行う大払しによる解体作業の際に用いる治具であって、足場ユニット２９の外壁３０に面した建枠２８ａに、間隔を離して複数取り付けて使用する。
【００２６】
外壁損傷防止治具１１を取り付ける位置は、図４に示すように、下段の建枠２８の両端の２箇所が望ましいが、必要に応じて適宜に追加して設置したり、設置位置を適宜に変更できることは言うまでもない。
【００２７】
次に、外壁損傷防止治具１１の作業現場における使用方法と注意点とを説明する。まず、台座２１の取付用ボルト２５を腕部１３のボルト孔に螺着して、球体保持部材１４をブラケット部材１２に取り付ける。
足場ユニット２９をクレーンで吊り上げる前に、外壁損傷防止治具１１を適宜の建枠２８ａに取り付ける。なお、どの作業段階での取り付けも可能であるが、建物を傷付けないように注意を要する。
連結ピンが抜けたら通常作業と同様に慎重にクレーンで足場ユニット２９を揚重する。揚重時には、必ず合図者が専任で付いてオペレーターに合図を行う必要がある。
【００２８】
外壁損傷防止治具１１は、大払しによる解体作業において足場ユニット２９をクレーンで吊り上げたときに、強風などの影響で足場が建物の外壁３０に接触しても、球状弾性体２４が緩衝材の役割を果たすので、建物の外壁３０に傷が付かない。
【００２９】
また、球状弾性体２４が外壁３０に接触したまま吊り上げたときや、足場ユニット２９が横風にあおられたときであっても、当該球状弾性体２４と台座２１とがその動きにスムーズに追従して回転するので、外壁３０を傷付けたり汚したりしない。
【符号の説明】
【００３０】
１１  足場の外壁損傷防止治具
１２  ブラケット部材
１３  腕部
１３ａ  太径パイプ
１３ｂ  短径パイプ
１４  球体保持部材
１５  取付部
１７  受け部
１８  クランプ
１９  補強パイプ
２０  固定ネジ
２１  台座
２２  保持部
２２ａ  保持片
２３  軸部
２３ａ  貫通ボルト（全ネジ棒）
２３ｂ  鋼製の実管
２４  球状弾性体
２５  取付用ボルト
２６  ボルト
２７  ハトメ
２８、２８ａ  建枠
２９  足場ユニット
３０  外壁
【図１】
2014122468.tif 000003
【図２】
2014122468.tif 000004
【図３】
2014122468.tif 000005
【図４】
2014122468.tif 000006